(57)【要約】【課題】楕円であることの装着性を維持しながら真円美を害することが少ない指輪を提供する。【解決手段】指輪の内周面５の両縁線７はほぼ真円で同径であり、指輪を装着した状態では、内周面５は見た目上はほぼ真円に見える。そして、指輪の断面形状における内周面５の形状が、周方向に連続的に変化することで、指輪の全体では、上下左右に対称であり、前記内周面形状の最も内側の最内線９は楕円を形成するので、装着時に指に強く接する部分は楕円であり、装着性は維持される。さらに、楕円の長軸方向の内周面形状は平坦１１であるのみならず、短軸方向の内周面形状は内側へ突出する台形であり、台形部分は装着時に指との滑りがよい。よって、装着性は、より向上できる。【選択図】図１
2010099099.tif 000002
【特許請求の範囲】
【請求項１】
指輪の内周面の両縁線はほぼ真円で同径であり、指輪の断面形状における内周面の形状が、周方向に連続的に変化することで、指輪の全体では、上下左右に対称であり、前記内周面形状の最も内側の最内線は楕円を形成し、この楕円の長軸方向の前記内周面形状は平坦であり、短軸方向の前記内周面形状は内側へ突出する台形であることを特徴とする内周楕円指輪。
【請求項２】
請求項１に記載の内周楕円指輪を製作する方法であって、指輪の内周面の両縁線はほぼ真円で同径であり、指輪の断面形状における内周面の形状が、周方向に変化せず平坦である元指輪を用い、前記内周面を周方向に連続的に変化させながら研削し、前記平坦な形状の内周面を基準面として、前記楕円の長軸方向の前記内周面形状は全面的に深く研削して平坦とする工程と、短軸方向の前記内周面形状は前記両縁線付近を研削して内側へ突出する台形とする工程と、を有することを特徴とする内周楕円指輪の製作方法。
【発明の詳細な説明】
【技術分野】
【０００１】
この発明は、内周面の全体形状が楕円である指輪とその製作方法に関する。
【背景技術】
【０００２】
下記特許文献１には、全体が楕円であるために装着性がよい指輪が開示される。  
【特許文献１】特開平08-168405
【発明の開示】
【発明が解決しようとする課題】
【０００３】
しかしながら、特許文献１のように指輪全体を楕円にすることは、装着性を向上させるものの指輪の美観を犠牲にするものである。指輪はあくまで真円であることが美感上望ましい。仮に、内周面の形状のみを楕円にすることも考えられるが、その場合であっても内周面が楕円であることは、指輪の真円美からは好ましくない。特に、指輪の厚みが変化していることから、楕円であることが明らかに見て取れ、真円美を害する。
【０００４】
この発明は、以上の問題点を解決するために、楕円であることの装着性を維持しながら真円美を害することが少ない指輪を提供することを目的とする。
【課題を解決するための手段】
【０００５】
以上の課題を解決するために、第一発明は、指輪の内周面の両縁線はほぼ真円で同径であり、指輪の断面形状における内周面の形状が、周方向に連続的に変化することで、指輪の全体では、上下左右に対称であり、前記内周面形状の最も内側の最内線は楕円を形成し、この楕円の長軸方向の前記内周面形状は平坦であり、短軸方向の前記内周面形状は内側へ突出する台形であることを特徴とする内周楕円指輪である。
【０００６】
第二発明は、第一発明の内周楕円指輪を製作する方法であって、指輪の内周面の両縁線はほぼ真円で同径であり、指輪の断面形状における内周面の形状が、周方向に変化せず平坦である元指輪を用い、前記内周面を周方向に連続的に変化させながら研削し、前記平坦な形状の内周面を基準面として、前記楕円の長軸方向の前記内周面形状は全面的に深く研削して平坦とする工程と、短軸方向の前記内周面形状は前記両縁線付近を研削して内側へ突出する台形とする工程と、を有することを特徴とする内周楕円指輪の製作方法である。
【発明の効果】
【０００７】
第一、又は第二発明によれば、指輪の内周面の両縁線はほぼ真円で同径であり、指輪を装着した状態では、内周面は見た目上はほぼ真円に見える。よって、真円美を害することが少ない。
そして、指輪の断面形状における内周面の形状が、周方向に連続的に変化することで、内周面形状の最も内側の最内線は楕円を形成するので、装着時に指に強く接する部分は楕円であり、装着性は維持される。
さらに、楕円の長軸方向の内周面形状は平坦であるのみならず、短軸方向の内周面形状は内側へ突出する台形であり、台形部分は装着時に指との滑りがよい。よって、装着性は、より向上できる。
第二発明によれば、さらに、内周面の形状が、周方向に変化せず平坦である元指輪は、通常の指輪が使用でき、容易な研削により第一発明の内周楕円指輪が製作できる。
【発明を実施するための最良の形態】
【０００８】
この発明の実施形態を、図１〜図３に示す。
［全体の形状］
この内周楕円指輪１の外周３は、ほぼ真円である。また、内周面５の両縁線７も、ほぼ真円で、同径である。そして、指輪の断面形状における内周面５の形状が、周方向に連続的に変化する。この変化により、指輪の全体における内周面５の形状は、上下左右に対称である。また、内周面形状の最も内側の最内線９は、楕円を形成する。この楕円の長軸方向（図中上下方向）に位置する内周面形状は全体に平坦１１である。また、短軸方向（図中左右方向）に位置する内周面形状は、内側へ突出する等脚台形１３である。
【０００９】
前述したように指輪の全体における内周面５の形状は、上下左右に対称であるから、同じ形状が９０度ごとに繰り返される。そこで説明のために、図の指輪の全体を時計のように見なして、９時から１２時までの９０度の形状を順に説明すると、内周面形状の平坦面は、始めは、前記した等脚台形１３の上底の幅の狭さであり、徐々に広くなり、最後には全面的に広くなる。また、内周面形状の斜面１４は、始めは、前記した等脚台形１３の脚辺の広さであり、徐々に狭くなって、やがてなくなる。
【００１０】
［製作方法］
この内周楕円指輪１を製作するには以下の方法がある。
すなわち、指輪の内周面５の両縁線７はほぼ真円で同径であり、指輪の断面形状における内周面５の形状が、周方向に変化せず平坦である元指輪を用いる。この元指輪は、通常の指輪である。そして、内周面５を周方向に連続的に変化させながら研削し、平坦な形状の内周面５を基準面１５として、楕円の長軸方向の内周面形状は全面的に深く研削して平坦１１とする。そして、短軸方向の内周面形状は両縁線の付近を研削して内側へ突出する等脚台形１３とする。
【００１１】
指輪の全体の９時から１２時までの９０度の研削を順に説明すると、内周面形状の斜面は、始めは、等脚台形１３の脚辺の広さＬ１に研削し、徐々に狭く、やがて０にする。内周面形状の平坦面は、始めは、等脚台形１３の上底の幅の狭さＵ１で残し、研削も浅くする。そして、研削を徐々に深くし、最後には所定の深さＤ１まで全部研削し、全面的な広さＵ２に平坦１１にする。
【００１２】
「実施形態の効果」
この実施形態によれば、指輪の内周面５の両縁線７はほぼ真円で同径であり、さらに、指輪を装着した状態では、等脚台形１３の部分は指で隠れ、内周面５は見た目上はほぼ真円に見える。よって、真円美を害することが少ない。
【００１３】
そして、指輪の断面形状における内周面５の形状が、周方向に連続的に変化することで、内周面形状の最も内側の最内線９は楕円を形成する。すなわち、指Ｆに強く接する部分は楕円である。また、指Ｆの断面は上下に薄い楕円をしている。
このため図３（Ａ）に示すように、装着時に指Ｆの楕円を、指輪の楕円に合わせて楽に、指を指輪に挿入できる。挿入後に図３（Ｂ）に示すように、指輪あるいは指を９０度回動すれば、楕円の働きにより、指輪は指に強く押圧され、抜けにくくなる。また、指輪を抜くときには、再び９０度回動すれば図３（Ａ）に示すように、指の楕円が、指輪の楕円に合わさり楽に抜くことができる。以上により、装着性は維持される。
【００１４】
さらに、楕円の長軸方向の内周面形状は平坦１１であり、通常の指輪と同じ滑り性を有する。のみならず、短軸方向の内周面形状は内側へ突出する等脚台形１３であり、この等脚台形部分は、平坦１１である場合に比べ、装着時に指との滑りがよい。よって、装着性は、より向上できる。
【００１５】
さらに、内周面５の形状が、周方向に変化せず平坦１１である元指輪は、通常の指輪が使用できる。そして、容易な研削により内周楕円指輪１が製作できる。通常の指輪をリメイクすることもできる。
【図面の簡単な説明】
【００１６】
【図１】この発明の一実施形態にかかる内周楕円指輪を示す平面図であり、９０度ごとの断面を添えて示す図である。
【図２】図１の指輪の斜視図である。
【図３】図１の指輪の装着性を示すもので、（Ａ）は指の挿入時の図、（Ｂ）は指を挿入後に９０度回動した図である。
【符号の説明】
【００１７】
１…内周楕円指輪、３…外周、５…内周面、７…両縁線、９…最内線、１１…平坦、１３…等脚台形、１５・・基準面。
【図１】
2010099099.tif 000003
【図２】
2010099099.tif 000004
【図３】
2010099099.tif 000005